(57)【要約】【課題】被挟持対象物を摘んだ状態でロックすることができ、かつ挟持部の挟持力を無段階で自在に調整することができるロック機能付きピンセットを提供する。【解決手段】被挟持対象物を摘むための一対の挟持部２ａと、側面視した際にその重なり部に連穿されている長孔３を備え、かつ一対の挟持部２ａのそれぞれに延設されている把持部２ｂと、この把持部２ｂにおいて挟持部２ａが延設されていない側の端部が一体に接合されてなる連結部２ｃと、を備えてなるピンセット２と、長孔３に軸４ｂが挿通されているボルト４と、この長孔３から導出されている軸４ｂに螺嵌されているナット５と、を備えているロック機能付きピンセット１による。【選択図】図１
2019030955.tif 000002
【特許請求の範囲】
【請求項１】
被挟持対象物を摘むための一対の挟持部と、
側面視した際にその重なり部に連穿されている長孔を備え、かつ一対の前記挟持部のそれぞれに延設されている把持部と、
前記把持部において前記挟持部が延設されていない側の端部が一体に接合されてなる連結部と、を備えてなるピンセットと、
頭部と、この頭部に垂設されている軸とを備え、かつこの軸が前記長孔に挿通されているボルトと、
前記長孔から導出されている前記軸に螺嵌されているナットと、を備えていることを特徴とするロック機能付きピンセット。
【請求項２】
前記軸の周側面上の全域にネジ部を備えていることを特徴とする請求項１に記載のロック機能付きピンセット。
【請求項３】
その最大径が前記ボルトの頭部の直径よりも小さく、かつ前記ボルトの前記頭部と前記ピンセットとの間に介設されている第１の座金と、
その最大径が前記ナットの直径よりも小さく、かつ前記ナットと前記ピンセットとの間に介設されている第２の座金と、を備えていることを特徴とする請求項１又は請求項２に記載のロック機能付きピンセット。
【請求項４】
前記第１の座金は前記ボルトの前記頭部に一体に固設され、
前記第２の座金は前記ナットに一体に固設されていることを特徴とする請求項３に記載のロック機能付きピンセット。
【請求項５】
前記ボルトの前記頭部及び／又は前記ナットに取設されているハンドルを備えていることを特徴とする請求項１乃至請求項４のいずれか１項に記載のロック機能付きピンセット。
【請求項６】
前記ボルトに代えて、前記ボルトの前記頭部に相当する第２のナットと、前記ボルトの前記軸に相当するネジ棒と、を備えていることを特徴とする請求項１乃至請求項５のいずれか１項に記載のロック機能付きピンセット。
【発明の詳細な説明】
【技術分野】
【０００１】
本発明は、ピンセットの先端部における挟持力を自在にかつ無段階で調節することができるロック機能付きピンセットに関する。
【背景技術】
【０００２】
従来、ロック機能付きピンセットとして以下の特許文献１に示すようなものが知られている。
特許文献１には「ピンセット」という名称で、小さなものを挟むピンセットに係り、ピンセットの挟持状態を維持しておくことができるピンセットに関する考案が開示されている。
特許文献１に開示される考案であるピンセットは、ピンセット主体を形成する客体の元端側に長孔を穿設し、該長孔内に摺動自在となるストッパを挿通してなるものである。
上述のような特許文献１に開示される発明によれば、従来のピンセットに簡単な構造を付加することで、ピンセットの挟持状態を維持することができるので、ピンセットから指を外しても従来のように改めてピンセットで挟持し直すなどの煩雑な手間が必要ない。
【０００３】
また、上述の特許文献１に開示されているロック機能付きピンセットとは別に、ピンセットの挟持部の間隔の広狭を調整することができるピンセットが特許文献２に開示されている。
特許文献２に開示される発明は、物を把持し、また握り部となるピンセット固定部・ピンセット可動部と、ピンセット可動部を動かしピンセット先端の開き幅を調整する機構部とからなり、把持する対象物の大きさに合わせてピンセット先端の開き幅が調整できる事を特徴とするものである。
上述のような特許文献２に開示される発明によれば、対象物の大きさに合わせて一度ピンセット先端の開き具合を調整する事により、常にピンセットを押す力で対象物を把持できる。また、対象物にピンセットの弾性限界内の反発力を加える事もないという効果を有している。
【先行技術文献】
【特許文献】
【０００４】
【特許文献１】実全昭４８−１０９９９４号公報
【特許文献２】特開平６−１５５３１７号公報
【発明の概要】
【発明が解決しようとする課題】
【０００５】
しかしながら、特許文献１に開示されている考案では、ピンセットの先端の挟持部を閉じた状態でロックすることができるものの、その状態でさらにピンセットの先端の挟持力の強弱を変更することはできなかった。
したがって、作業者は１つのピンセットで被挟持対象物を優しく挟持したり、被挟持対象物を強く挟持したりすることを自由に選択することができないので、ピンセットの汎用性を高めることができなかった。
【０００６】
特許文献２に開示される発明によれば、ピンセットの先端の広狭を自在に調整することができるものの、その構造上ピンセットの先端の挟持部を完全に閉じた状態で、その挟持力の強弱を変更することはできなかった。
したがって、特許文献１に開示される考案の場合と同様に、１つのピンセットで被挟持対象物を優しく挟持する又は被挟持対象物を強く挟持することを選ぶことができず、汎用性の高いピンセットを提供することができなかった。
【０００７】
本発明はかかる従来の事情に対処してなされたものであり、ピンセットの先端を閉じた状態でロックすることができ、かつピンセットの先端の挟持部の挟持力の強弱を無段階で調整することができるロック機能付きピンセットを提供することにある。
【課題を解決するための手段】
【０００８】
上記課題を解決するため第１の発明であるロック機能付きピンセットは、被挟持対象物を摘むための一対の挟持部と、側面視した際にその重なり部に連穿されている長孔を備え、かつ一対の挟持部のそれぞれに延設されている把持部と、この把持部において挟持部が延設されていない側の端部が一体に接合されてなる連結部と、を備えてなるピンセットと、頭部と、この頭部に垂設されている軸とを備え、かつこの軸が長孔に挿通されているボルトと、この長孔から導出されている軸に螺嵌されているナットと、を備えていることを特徴とするものである。
上記構成の第１の発明において、ピンセットの挟持部は把持部により操作されて被挟持対象物を摘む又は摘んだ被挟持対象物を離すという作用を有する。また、ピンセットの把持部は挟持部の動作を間接的に操作可能にするという作用を有する。さらに、ピンセットの連結部は、挟持部を備えた一対の把持部が離れ離れにならないように一体化させるという作用を有する。また、ピンセットの把持部に形成されている長孔は、ピンセットのロック構造として機能するボルトの軸を挿通させるとともに、この軸を長孔の長手方向にスライドさせるという作用を有する。
また、ボルト及びナット（ロック構造）は、ピンセットの把持部に形成される長孔をスライドすることで、ピンセットのロック状態とその解除状態を切り替えるという作用を有する。
より具体的には、ボルトの軸にナットが螺嵌されてなるロック構造を、ピンセットに形成されている長孔の挟持部側に配した場合、把持部の開動作がボルトの頭部及びナットに遮られて、挟持部がロック状態となる。
他方、上述のロック構造を、ピンセットに形成されている長孔の連結部側に配した場合、ボルトの頭部及びナットによりピンセットの把持部の開動作が妨げられないのでロック状態は解除される。
さらに、第１の発明におけるロック構造であるボルト及びネジは、ボルトの頭部とナットの距離を所望に変更可能にするという作用を有する。この場合、ロック構造をピンセットの長孔の挟持部側に配した状態で、ボルトの頭部とナットの距離を狭めた場合は、挟持部における挟持力を大きくするという作用が、また同条件下においてボルトの頭部とナットの距離を広げた場合は、挟持部における挟持力を小さくするという作用を有する。
【０００９】
第２の発明であるロック機能付きピンセットは、上述の第１の発明であって、軸部の周側面上の全域にネジ部を備えていることを特徴とするものである。
上記構成の第２の発明は、上述の第１の発明による作用と同じ作用に加えて、ボルトの軸部の全域にネジ部を備えていることで、ピンセットにおける一対の把持部間の距離を最大まで狭めて、挟持部に生じる被挟持対象物の挟持力を最大化するという作用を有する。
【００１０】
第３の発明であるロック機能付きピンセットは、上記第１又は第２の発明であって、その最大径がボルトの頭部の直径よりも小さく、かつボルトの頭部とピンセットとの間に介設されている第１の座金と、その最大径がナットの直径よりも小さく、かつナットとピンセットとの間に介設されている第２の座金と、を備えていることを特徴とするものである
上記構成の第３の発明は、上述の第１又は第２の発明による作用と同じ作用に加えて、ボルトの頭部とピンセットの間に第１の座金が、また、ナットとピンセットの間に第２の座金がそれぞれ介設されることで、ボルトの頭部又はナットを指先で摘んで操作するのを容易にするという作用を有する。
【００１１】
第４の発明であるロック機能付きピンセットは、上記第３の発明であって、第１の座金はボルトの頭部に一体に固設され、第２の座金はナットに一体に固設されていることを特徴とする。
上記構成の第４の発明は、上述の第３の発明による作用と同じ作用に加えて、ボルトの頭部に第１の座金を、また、ナットに第２の座金をそれぞれ一体に備えていることで、ボルトの頭部又はナットを指先で摘んで操作するのを容易にするという作用を有する。
また、ボルトの頭部又はナットを緩めた場合でも、第１又は第２の座金が遊動したり、外れたりすることがないので、この点からも第４の発明の操作性を良好にするという作用を有する。
【００１２】
第５の発明であるロック機能付きピンセットは、上記第１乃至第４の発明のいずれかであって、ボルトの頭部及び／又はナットに設けられているハンドルを備えていることを特徴とするものである。
上記構成の第５の発明は、上述の第１乃至第４のそれぞれの発明による作用と同じ作用に加えて、ボルトの頭部及び／又はナットがハンドルを備えることで、ボルトの頭部及び／又はナットの指先による操作性を向上させるという作用を有する。
【００１３】
第６の発明であるロック機能付きピンセットは、上記第１乃至第５の発明のいずれかであって、ボルトに代えて、このボルトの頭部に相当する第２のナットと、ボルトの軸に相当するネジ棒と、を備えていることを特徴とするものである。
上記構成の第５の発明は、上記第１乃至第５の発明のそれぞれにおいてボルトが第２のナット及びネジ棒に置換されたものであり、その作用は上記第１乃至第５の発明のそれぞれによる作用と同じである。
【発明の効果】
【００１４】
上述のような第１の発明によれば、ロック機能を有し、かつ挟持部における挟持力を無段階で調節することができるピンセットを提供することができる。
この場合、ピンセットの挟持部で弱い力で被挟持対象物を優しく摘むことや、強い力で被挟持対象物を強く摘むことができるので、様々な被挟持対象物を所望の挟持力で挟持することができる汎用性の高いピンセットを提供することができる。
【００１５】
第２の発明は、上述の第１の発明による効果と同じ効果に加えて、ピンセットの長孔の挟持部側において一対の把持部が互いに密着する程双方の間隔を押し縮めることができる。
これにより、ピンセットの挟持部における挟持力を最大化した状態でロックすることができるという効果を有する。この結果、高機能なピンセットを提供することができる。
【００１６】
第３の発明は、上述の第１又は第２の発明による効果に加えて、ロック機能付きピンセットのボルト頭部及びナットを指先で摘みやすくすることができる。
この場合、第３の発明に係るロック機能付きピンセットの操作性を大幅に向上させることができる。
【００１７】
第４の発明は、上述の第３の発明による効果に加えて、ボルトの頭部と第１の座金が、またナットと第２の座金が一体化しているので、ボルト又はナットを緩めた際に、第１及び第２の座金が遊動したり、離間したりすることがなく、第４の発明の操作性を一層良好にできる。
したがって、第４の発明に係るロック機能付きピンセットによれば、第３の発明に比べて操作性を大幅に向上させることができる。
【００１８】
第５の発明は、上述の第１乃至第４のそれぞれの発明による効果と同じ効果に加えて、ピンセットのボルト頭部及び／又はナットがハンドルを備えていることで、そのボルト頭部及び／又はナットを指先で摘んで操作するのを一層容易にすることができる。
この結果、第４の発明よりもより操作性が優れたロック機能付きピンセットを提供することができる。
【００１９】
第６の発明は、上述の第１乃至第５のそれぞれの発明におけるボルトが第２のナット及びネジ棒に置換されてなるものであり、その効果は上述の第１乃至第５のそれぞれの発明による効果と同じである。
【図面の簡単な説明】
【００２０】
【図１】本発明の実施の形態に係るロック機能付きピンセットの概念図である。
【図２】（ａ）本発明の実施の形態に係るロック機能付きピンセットのロック解除状態を示す側面図であり、（ｂ）同じくロック機能付きピンセットのロック状態を示す側面図である。
【図３】本実施の形態に係るロック機能付きピンセットに用いられるボルトの変形例を示す概念図である。
【発明を実施するための形態】
【００２１】
本発明の実施の形態に係るロック機能付きピンセットについて図１乃至図３を参照しながら詳細に説明する。
【００２２】
まず、図１を参照しながら本実施の形態に係るロック機能付きピンセットの概要について図１を参照しながら説明する。
図１は本発明の実施の形態に係るロック機能付きピンセットの概念図である。
本実施の形態に係るロック機能付きピンセット１は、図１に示すように、被挟持対象物を摘むための一対の挟持部２ａと、一対の挟持部２ａのそれぞれに延設されている把持部２ｂと、この把持部２ｂにおいて挟持部２ａが延設されていない側の端部が一体に接合されてなる連結部２ｃと、を備えてなるピンセット２において、把持部２ｂの重なり部には長孔３が連穿されており、この長孔３にボルト４の軸４ｂが挿設され、さらにこの軸４ｂにナット５が螺嵌されてなるものである。
このようなロック機能付きピンセット１では、ピンセット２に穿設されている長孔３と、この長孔３に設けられているボルト４及びナット５がピンセット２のロック構造をなしている。
【００２３】
また、図１に示すロック機能付きピンセット１において、ナット５を備えたボルト４をピンセット２に穿設される長孔３の連結部２ｃ側に配した状態がロックが解除された状態である。
他方、図１に示すロック機能付きピンセット１において、ナット５を備えたボルト４をピンセット２に穿設される長孔３の挟持部２ａ側に配した状態がロック状態である。
そして、本実施の形態に係るロック機能付きピンセット１では、ピンセット２のロック構造としてボルト４及びナット５を用いることで、ボルト４の頭部４ａとナット５の距離を無段階で調整することができる。
【００２４】
ここで図２を参照しながら本実施の形態に係るロック機能付きピンセット１の動作についてさらに詳細に説明を加える。
図２（ａ）は本発明の実施の形態に係るロック機能付きピンセットのロック解除状態を示す側面図であり、（ｂ）は同じくロック機能付きピンセットのロック状態を示す側面図である。なお、図１に記載されたものと同一部分については同一符号を付し、その構成についての説明は省略する。
図２（ａ）に示すように、本実施の形態に係るロック機能付きピンセット１では、ピンセット２に形成されている長孔３の挟持部２ａ側から離れた位置にロック構造をなすボルト４及びナット５が配されている場合、ボルト４の頭部４ａ及びナット５によりピンセット２の把持部２ｂの開動作は妨げられない。このため、作業者は、ピンセット２の一対の把持部２ｂの押圧力を指先で自在にコントロールして挟持部２ａにおいて被挟持対象物を摘む又は離す動作を行うことができる。
【００２５】
その一方で、図２（ｂ）に示すように、ピンセット２に形成されている長孔３の挟持部２ａ側の端部にロック構造をなすボルト４及びナット５が配されている場合、ボルト４の頭部４ａ及びナット５によりピンセット２の把持部２ｂの開動作が妨げられる。
通常、ボルト４及びナット５を備えるロック構造を有さない場合、ピンセット２の把持部２ｂに押圧力を加えない限り、ピンセット２の挟持部２ａは開いた状態になる（図２（ａ）を参照）。
これに対して図２（ｂ）に示すように、ピンセット２における把持部２ｂの動作がボルト４の頭部４ａ及びナット５により規制されると、ピンセット２の挟持部２ａが閉じた状態が維持されてロック状態となる。
この時、ボルト４の軸４ｂに螺嵌されているナット５を操作してボルト４の頭部４ａとナット５の距離を変更することで、ピンセット２の挟持部２ａの先端の開度、又は、挟持部２ａが閉じている場合は挟持部２ａの先端が互いに押し合う押圧力を調整することができる。
【００２６】
つまり、図２に示す状態において、ボルト４の頭部４ａとナット５間の距離を広げていくと挟持部２ａによる被挟持対象物（図示せず）の挟持力が弱まっていき、逆に、ボルト４の頭部４ａとナット５間の距離を狭めていくと挟持部２ａによる被挟持対象物（図示せず）の挟持力は強まっていく。
このように本実施の形態に係るロック機能付きピンセット１によれば、長孔３、ボルト４及びナット５からなるロック構造を備えていることで、ピンセット２の挟持部２ａが閉じた状態を維持しておくことができるだけでなく、一対の挟持部２ａの挟持力を無段階で自在に調節することができる。
【００２７】
したがって、本実施の形態に係るロック機能付きピンセット１によれば、ボルト４及びナット５からなる挟持力の調節機能を利用することで、柔らかい被挟持対象物をピンセット２の挟持部２ａで優しく摘んでその状態を維持したり、硬い被挟持対象物を挟持部２ａで強く摘んでその状態を維持したりすることができる。
この結果、本実施の形態に係るロック機能付きピンセット１によれば、従来技術に係るロック機能付きピンセットと比較して性能が優れ、かつ汎用性の高いロック機能付きピンセットを提供することができる。
【００２８】
さらに、本実施の形態に係るロック機能付きピンセット１では、図１，２に示すように、軸４ｂの周側面の全域にネジ部４ｃを備えているボルト４を用いてもよい（選択的構成要素）。
この場合、図２（ｂ）に示す状態からナット５を操作して、ピンセット２における一対の把持部２ｂの空隙がゼロの状態、あるいは、ゼロに近づいた状態で一対の把持部２ｂを保持しておくことができる。
このことは、一対の把持部２ｂに延設されている挟持部２ａ同士による挟持力を最大限大きくした状態でピンセット２をロックできることを意味している。
したがって、本実施の形態に係るロック機能付きピンセット１では、軸４ｂの周側面の全域にネジ部４ｃを備えているボルト４用いることで、ピンセット２の挟持部２ａの挟持力を極限まで強めた状態を保持することができる。
したがって、本実施の形態に係るロック機能付きピンセット１によれば、ボルト４の軸４ｂの周側面上の全域にネジ部４ｃを備えないボルト４を用いる場合に比べて、より性能の高いロック機能付きピンセットを提供することができる。
【００２９】
加えて、本実施の形態に係るロック機能付きピンセット１では、図２に示すように、ボルト４の頭部４ａの最大径よりもその直径が小さく、かつボルト４の頭部４ａに一体に固設されている第１の座金６ａ、及び、ナット５の最大径よりもその直径が小さく、かつナット５に一体に固設されている第２の座金６ｂを備えていてもよい（選択的構成要素）。
通常、ピンセット２はその操作を指先で行う手工具であるため、本実施の形態に係るロック機能付きピンセット１におけるボルト４及びナット５も指先で操作するような比較的小さいものを用いることになる。
また、本実施の形態に係るロック機能付きピンセット１では、ボルト４の頭部４ａ及びナット５はともに、ピンセット２の把持部２ｂに接触している又は近接するため、指先でボルト４の頭部４ａやナット５を摘む際に滑って上手く摘めない可能性がある。
【００３０】
このような事情に鑑み、本実施の形態に係るロック機能付きピンセット１では、ボルト４の頭部４ａに第１の座金６ａを、また、ナット５に第２の座金６ｂをそれぞれ一体に備えることで、ピンセット２の長孔３にボルト４及びナット５をセッティングした状態において、ピンセット２の把持部２ｂの表面からボルト４の頭部４ａ及びナット５を、第１の座金６ａ又は第２の座金６ｂの厚み分だけ離間させた状態で配置することができる。
この場合、第１の座金６ａ及び第２の座金６ｂを備えない場合に比べて、ボルト４の頭部４ａ及びナット５の指先による挟持を容易かつ確実に行うことができる。
よって、本実施の形態に係るロック機能付きピンセット１のボルト４及びナット５が、図２に示すような、第１の座金６ａ及び第２の座金６ｂを備える場合は、ボルト４の頭部４ａ及びナット５の操作性が優れたロック機能付きピンセット１を提供することができる。
【００３１】
なお、図１，２ではボルト４の頭部４ａ及びナット５の平面形状が円形である場合を例に挙げて説明しているが、ボルト４の頭部４ａ及びナット５の平面形状が多角形状であるものも支障なく使用することができる。
なお、ボルト４の頭部４ａ及びナット５の平面形状が多角形状の場合は、その直径は対角直径で判断する。
【００３２】
さらに、特に図示しないが第１の座金６ａ、第２の座金６ｂは、ボルト４、ナット５に一体に固設されることなく別体に設けられていてもよい（選択的構成要素）。
この場合も、別体に設けられる座金（第１の座金６ａ、第２の座金６ｂ）の直径は、それらに近接して配されるボルト４の頭部４ａの直径又はナット５の直径よりも小さいことが望ましい。
【００３３】
最後に、本実施の形態に係るロック機能付きピンセット１のボルト４及びナット５の変形例について図３を参照しながら説明する。
図３は本実施の形態に係るロック機能付きピンセットに用いられるボルトの変形例を示す概念図である。なお、図１，２に記載されたものと同一部分については同一符号を付し、その構成についての説明は省略する。
本実施の形態に係るロック機能付きピンセット１では、図１，２に示すようなボルト４に代えて、図３に示すようなボルト８の頭部８ａにハンドル７を備えるものを用いてもよい（選択的構成要素）。ボルト８の頭部８ａは図３に示されるような形状に限定されるものではなく、単に、ボルト８の軸８ｂの端部として形成されるものであればどのような形状でもよく、軸８ｂ状に形成される端部であってもよい。
なお、図３中に示すボルト８の軸８ｂ及びネジ部８ｃは、図１，２中に示すボルト４の軸４ｂ及びネジ部４ｃと同じである。
また、特に図示しないが、このようなハンドル７を有するボルト８に加えて、図１，２に示すようなナット５に図３に示すようなハンドル７を備えたものを用いてもよい（選択的構成要素）。
なお、本実施の形態に係るロック機能付きピンセット１のボルトの頭部やナットに図３に示すようなハンドル７を後付けで設ける場合は、ボルトの頭部やナットと、ハンドル７の内側面との間でスリップが起こらないようにしておく必要がある。
そのための手段としては、例えば、図１，２に示されるようなボルト４又はナット５とハンドル７の間に滑り止め材を介設する、または、例えば、図３のように多角形状をなすボルト８の頭部８ａにハンドル７を嵌設して嵌合構造によりハンドル７のスリップを防止する、あるいは、特に図示しないが、ボルトの頭部やナットに一体にハンドルを設けた例えば蝶ネジのようなものを使用することなどが考えられ、これらのうちのいずれを採用しても目的とする効果、すなわち、ボルトの頭部又はナットと、ハンドル７の間のスリップを防止する効果を発揮させることができる。
【００３４】
本実施の形態に係るロック機能付きピンセット１が、そのボルト８の頭部８ａ及び／又はナットにハンドル７を備える場合は、ピンセット２の長孔３に取設されるボルトの頭部及び／又はナットの指先による操作がさらに容易になる。
この結果、その操作性が極めて良好なロック機能付きピンセット１を提供することができる。
【００３５】
なお、本実施の形態にかかるロック機能付きピンセット１におけるボルト４又はボルト８は、図示しない第２のナット及びネジ棒に置換することができる。この場合、ロック機能付きピンセット１におけるナット５が「第１のナット」となる。
この場合も、上述のような作用・効果を支障なく発揮させることができる。
【産業上の利用可能性】
【００３６】
以上説明したように、本発明はピンセットにおいて被挟持対象物を摘んだ状態でロックすることができるロック機能を有し、かつ被挟持対象物を摘む際の挟持力を無段階で調整することができるロック機能付きピンセットであり、精密工具や手工具に関する技術分野において利用可能である。
【符号の説明】
【００３７】
１…ロック機能付きピンセット  ２…ピンセット  ２ａ…挟持部  ２ｂ…把持部  ２ｃ…連結部  ３…長孔  ４…ボルト  ４ａ…頭部  ４ｂ…軸  ４ｃ…ネジ部  ５…ナット  ６ａ…第１の座金  ６ｂ…第２の座金  ７…ハンドル  ８…ボルト  ８ａ…頭部  ８ｂ…軸  ８ｃ…ネジ部
【図１】
2019030955.tif 000003
【図２】
2019030955.tif 000004
【図３】
2019030955.tif 000005